(57)【要約】【課題】ファクシミリ通信相手の地域が停電実施の対象にあっても、画像データを送信することが可能なファクシミリ装置を提供する。【解決手段】ファクシミリ通信による画像データの送信に際しては、市外局番に対応する通信相手地域名の地域が計画停電実施の対象となっていない場合は、通常の再発呼待ち時間Ｔ１が設定され、通常の再発呼待ち時間Ｔ１毎に、発呼が繰り返される。また、市外局番に対応する通信相手地域名の地域が計画停電実施の対象となっている場合は、停電地域の再発呼待ち時間Ｔ２が設定され、停電地域の再発呼待ち時間Ｔ２毎に、発呼が繰り返される。通常の再発呼待ち時間Ｔ１は、例えば数分〜数時間程度に設定される。また、停電地域の再発呼待ち時間Ｔ２は、通常の再発呼待ち時間Ｔ１よりも充分に長く設定され、例えば２４時間以上に設定される。【選択図】図２
2013115805.tif 000002
【特許請求の範囲】
【請求項１】
ファクシミリ通信を行うファクシミリ通信部と、
インターネット通信を行うインターネット通信部と、
前記インターネット通信部を通じて、停電地域を示す停電情報を取得する停電情報取得部と、
ファクシミリ通信相手の端末の電話番号に基づき前記ファクシミリ通信相手の通信相手地域を判定し、前記通信相手地域が前記停電地域に一致するか否かを判定する判定部とを備えたことを特徴とするファクシミリ装置。
【請求項２】
請求項１に記載のファクシミリ装置であって、
前記判定部は、前記ファクシミリ通信相手の端末の電話番号の市外局番に基づき前記通信相手地域を判定することを特徴とするファクシミリ装置。
【請求項３】
請求項１又は２に記載のファクシミリ装置であって、
前記判定部は、前記通信相手地域が前記停電地域に一致すると判定し、前記ファクシミリ通信部により前記ファクシミリ通信相手の端末に対する発呼が行われても前記端末が着呼に応答しなかった場合に、前記通信相手地域が停電中であると判定することを特徴とするファクシミリ装置。
【請求項４】
請求項３に記載のファクシミリ装置であって、
前記ファクシミリ通信部は、前記判定部により前記通信相手地域が停電中であると判定された場合に、前記ファクシミリ通信相手の端末に対する再発呼を行うまでの待ち時間を前記通信相手地域が停電中でないときに設定される他の待ち時間よりも長くすることを特徴とするファクシミリ装置。
【請求項５】
請求項３に記載のファクシミリ装置であって、
前記ファクシミリ通信相手の端末の電話番号及びメールアドレスを対応付けて記憶した通信相手記憶部を備え、
前記インターネット通信部は、前記判定部により前記通信相手地域が停電中であると判定された場合に、前記ファクシミリ通信相手の端末の電話番号に対応するメールアドレスを前記通信相手記憶部から読出して、前記メールアドレスを宛先とする電子メールを作成し、前記ファクシミリ通信相手に対する送信画像データを前記電子メールに添付して送信することを特徴とするファクシミリ装置。
【請求項６】
請求項１又は２に記載のファクシミリ装置であって、
前記判定部は、複数のファクシミリ通信相手の端末に対する同報通信に際し、前記各ファクシミリ通信相手の端末の電話番号に基づき前記各ファクシミリ通信相手の通信相手地域を判定し、前記各通信相手地域が前記停電地域に一致するか否かを判定し、
前記ファクシミリ通信部は、前記判定部により前記停電地域に一致すると判定された通信相手地域のファクシミリ通信相手の端末については前記同報通信の順番を遅い順番に変更することを特徴とするファクシミリ装置。
【請求項７】
請求項１〜６のいずれか１つに記載のファクシミリ装置を備えたことを特徴とする画像形成装置。
【発明の詳細な説明】
【技術分野】
【０００１】
本発明は、ファクシミリ装置及びそれを備えた画像形成装置に関する。
【背景技術】
【０００２】
この種のファクシミリ装置としては、ファクシミリ通信相手の端末に対する発呼が行われても端末が着呼に応答しないか又はファクシミリ通信が中断した場合に、発呼を自動的に繰り返すものがある。
【０００３】
例えば、特許文献１では、ファクシミリ通信相手の端末が通話中又は故障中である場合に、発呼を自動的に繰り返しており、その発呼の間隔や回数をダイヤル操作により指定することができるようにしている。
【０００４】
また、特許文献２では、ファクシミリ通信相手の端末が着呼に応答しない原因が通話中にあるのかその他の理由にあるのかを判定して、原因が通話中にある場合に、同一の端末に対して発呼を再度行い、また原因がその他の理由にある場合に、代行先に対して発呼を再度行うようにしている。
【０００５】
一方、特許文献３では、そのような再度の発呼には直接関係しないが、ファクシミリ通信相手の端末の市外局番を用いて、ファクシミリ通信相手を地域別にグループ分けして、グループの１つの通信相手にファクシミリ通信を行い、以降はグループ内でファクシミリ通信の中継転送を行っている。
【先行技術文献】
【特許文献】
【０００６】
【特許文献１】特開昭５８−１４６５３号公報
【特許文献２】特許２００２−３２００８１号公報
【特許文献３】特開平０８−１７２５００号公報
【発明の概要】
【発明が解決しようとする課題】
【０００７】
ところで、ファクシミリ通信相手の端末が着呼に応答しないか又は通信が中断する原因は様々であるが、ファクシミリ通信相手との通信が不可能な状態では、その原因の特定が困難である。ただし、その原因が短時間で解消されるならば、特許文献１、２のような発呼の繰り返しによりファクシミリ通信が可能となる。
【０００８】
しかしながら、例えばファクシミリ通信相手の地域で計画停電が実施されていて、計画停電が長時間続く場合には、ファクシミリ通信相手の端末による通信動作が不可能なため、この端末に対する発呼の繰り返しが無駄になってしまい、一定回数の発呼を繰り返した後に通信エラーとなる。
【０００９】
また、特許文献３においては、ファクシミリ通信相手の端末の市外局番を用いて、ファクシミリ通信相手を地域別にグループ分けしているが、計画停電の地域を特定しているわけではなく、そのような計画停電に伴う問題を解決することはできない。
【００１０】
そこで、本発明は、上記従来の問題点に鑑みなされたものであり、ファクシミリ通信相手の地域が停電実施の対象にあっても、画像データを送信することが可能なファクシミリ装置及びそれを備えた画像形成装置を提供することを目的とする。
【課題を解決するための手段】
【００１１】
上記課題を解決するために、本発明のファクシミリ装置は、ファクシミリ通信を行うファクシミリ通信部と、インターネット通信を行うインターネット通信部と、前記インターネット通信部を通じて、停電地域を示す停電情報を取得する停電情報取得部と、ファクシミリ通信相手の端末の電話番号に基づき前記ファクシミリ通信相手の通信相手地域を判定し、前記通信相手地域が前記停電地域に一致するか否かを判定する判定部とを備えている。
【００１２】
このような本発明のファクシミリ装置では、インターネット通信部を通じて停電地域を示す停電情報を取得し、ファクシミリ通信相手の端末の電話番号に基づきファクシミリ通信相手の通信相手地域を判定し、通信相手地域が停電地域に一致するか否かを判定している。例えば、通信相手地域が停電地域に一致すれば、通信相手地域が停電中である可能性が高い。このため、停電中の可能性が高いファクシミリ通信相手に対しては、適宜の方法により画像データの送信を図ることができる。
【００１３】
また、本発明のファクシミリ装置においては、例えば、前記判定部は、前記ファクシミリ通信相手の端末の電話番号の市外局番に基づき前記通信相手地域を判定している。
【００１４】
更に、本発明のファクシミリ装置においては、前記判定部は、前記通信相手地域が前記停電地域に一致すると判定し、前記ファクシミリ通信部により前記ファクシミリ通信相手の端末に対する発呼が行われても前記端末が着呼に応答しなかった場合に、前記通信相手地域が停電中であると判定している。
【００１５】
このように通信相手地域が停電地域に一致し、ファクシミリ通信相手の端末に対する発呼が行われても端末が着呼に応答しなかった場合には、通信相手地域が停電中であるとみなすことができる。
【００１６】
また、本発明のファクシミリ装置においては、前記ファクシミリ通信部は、前記判定部により前記通信相手地域が停電中であると判定された場合に、前記ファクシミリ通信相手の端末に対する再発呼を行うまでの待ち時間を前記通信相手地域が停電中でないときに設定される他の待ち時間よりも長くしている。
【００１７】
この場合は、長い待ち時間が経過した後に、ファクシミリ通信相手の端末に対する再発呼が行われるので、端末が着呼に応答する可能性が高くなる。
【００１８】
更に、本発明のファクシミリ装置においては、前記ファクシミリ通信相手の端末の電話番号及びメールアドレスを対応付けて記憶した通信相手記憶部を備え、前記インターネット通信部は、前記判定部により前記通信相手地域が停電中であると判定された場合に、前記ファクシミリ通信相手の端末の電話番号に対応するメールアドレスを前記通信相手記憶部から読出して、前記メールアドレスを宛先とする電子メールを作成し、前記ファクシミリ通信相手に対する送信画像データを前記電子メールに添付して送信している。
【００１９】
この場合は、通信相手地域の停電中であっても、送信画像データが添付された電子メールが送信される。この電子メールは、インターネット上の動作状態のメールサーバ等で保管（バックアップ）される。このため、ファクシミリ通信相手の端末の地域が停電状態から復帰したときに、ファクシミリ通信相手は、メールサーバ等からインターネットを通じてパーソナルコンピュータ等へと電子メールを取り込んで、電子メールに添付の画像データを取得することができる。
【００２０】
また、本発明のファクシミリ装置においては、前記判定部は、複数のファクシミリ通信相手の端末に対する同報通信に際し、前記各ファクシミリ通信相手の端末の電話番号に基づき前記各ファクシミリ通信相手の通信相手地域を判定し、前記各通信相手地域が前記停電地域に一致するか否かを判定し、前記ファクシミリ通信部は、前記判定部により前記停電地域に一致すると判定された通信相手地域のファクシミリ通信相手の端末については前記同報通信の順番を遅い順番に変更している。
【００２１】
このように停電中の可能性が高いファクシミリ通信相手の端末については同報通信の順番を遅い順番に変更した場合は、停電中でない端末への発呼を優先させ、停電中の可能性が高い端末への発呼を後回しにして、各端末への発呼を順次行うことができ、同報通信を効率的に行うことができる。
【００２２】
一方、本発明の画像形成装置は、上記本発明のファクシミリ装置を備えている。
【００２３】
このような本発明の画像形成装置においても、上記本発明のファクシミリ装置と同様の作用効果を奏する。
【発明の効果】
【００２４】
このような本発明では、インターネット通信部を通じて、停電地域を示す停電情報を取得し、ファクシミリ通信相手の端末の電話番号に基づきファクシミリ通信相手の通信相手地域を判定し、通信相手地域が停電地域に一致するか否かを判定している。例えば、通信相手地域が停電地域に一致すれば、通信相手地域が停電中である可能性が高い。このため、停電中の可能性が高いファクシミリ通信相手に対しては、適宜の方法により画像データの送信を図ることができる。
【図面の簡単な説明】
【００２５】
【図１】本発明のファクシミリ装置の一実施形態を適用した画像形成装置を示す断面図である。
【図２】画像形成装置の制御系の構成を示すブロック図である。
【図３Ａ】ファクシミリ通信相手の端末が１台のときに行われる原稿画像の送信手順を示すフローチャートである。
【図３Ｂ】図３Ａに引き続く送信手順を示すフローチャートである。
【図４】地域別局番記憶テーブルを概念的示す図である。
【図５】ファクシミリ通信相手の端末が複数台のときに行われる同報通信の手順を示すフローチャートである。
【図６】同報通信記憶テーブルを概念的示す図である。
【図７Ａ】ファクシミリ通信相手の端末が１台のときに行われる原稿画像の送信手順の他の例を示すフローチャートである。
【図７Ｂ】図７Ａに引き続く送信手順を示すフローチャートである。
【発明を実施するための形態】
【００２６】
以下、本発明の実施形態を添付図面を参照して詳細に説明する。
【００２７】
図１は、本発明のファクシミリ装置の一実施形態を適用した画像形成装置を示す断面図である。この画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部５においては、現像装置１２、感光体ドラム１３、ドラムクリーニング装置１４、及び帯電器１５が各色に応じた４種類のトナー像を形成するためにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００２８】
各画像ステーションＰａ、Ｐｂ、Ｐｃ、Ｐｄのいずれにおいても、ドラムクリーニング装置１４により感光体ドラム１３表面の残留トナーを除去及び回収した後、帯電器１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００２９】
引き続いて、中間転写ベルト２１を矢印方向Ｃに周回移動させつつ、ベルトクリーニング装置２５により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００３０】
中間転写ベルト２１と２次転写装置２６の転写ローラ２６ａ間にはニップ域が形成されており、用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ３１と加圧ローラ３２との間に記録用紙を挟み込んで加熱及び加圧し、記録用紙上のカラーのトナー像を定着させる。
【００３１】
一方、給紙部６においては、ピックアップローラ３３により給紙トレイ１８から記録用紙を１枚ずつ逐次引出して、記録用紙をＳ字状の用紙搬送経路Ｒ１へと送り出す。
【００３２】
この記録用紙は、２次転写装置２６や定着装置１７を経由し、排紙ローラ３６を介して排紙トレイ３９へと搬出される。この用紙搬送経路Ｒ１には、記録用紙を一旦停止させて、記録用紙の先端を揃えた後、中間転写ベルト２１と転写ローラ２６ａ間のニップ域でのカラーのトナー像の転写タイミングに合わせて記録用紙の搬送を開始する一組のレジストローラ３４、記録用紙の搬送を促す複数組の搬送ローラ３５、一組の排紙ローラ３６等が配置されている。
【００３３】
また、記録用紙の表面だけではなく、裏面の印字を行う場合は、記録用紙を各排紙ローラ３６から反転経路Ｒｒへと逆方向に搬送して、記録用紙の表裏を反転させ、記録用紙を各レジストローラ３４へと再度導き、記録用紙の表面と同様に、記録用紙の裏面に画像を印刷して定着し、記録用紙を排紙トレイ３９へと搬出する。
【００３４】
次に、画像形成装置１の本体上部に搭載された原稿読取り装置２を説明する。この原稿読取り装置２において、原稿搬送部（ＡＤＦ）４２は、その奥一辺をヒンジ（図示せず）により第１読取り部４１の奥一辺に枢支されており、その手前部分を上下させることにより原稿搬送部４２を開いて、第１読取り部４１のプラテンガラス４４上に原稿用紙を載置することができる。
【００３５】
第１読取り部４１において、第１走査ユニット４５は、副走査方向に移動しながら、プラテンガラス４４上の原稿用紙表面を光源５１によって照明し、その反射光を第１反射ミラー５２により反射して第２走査ユニット４６へと導く。第２走査ユニット４６は、第１走査ユニット４５に追従して移動しつつ、原稿用紙からの反射光を第２及び第３反射ミラー５３、５４により反射する。この反射光は、結像レンズ４７によりＣＣＤ４８（Charge Coupled Device）に集光されて、ＣＣＤ４８により原稿画像が読取られる。
【００３６】
また、原稿搬送部４２により搬送されている原稿用紙表面の画像を読取る場合は、図１に示すように第１走査ユニット４５を原稿読取りガラス５５下方の読取り位置に移動し、第１走査ユニット４５の位置に応じて第２走査ユニット４６を位置決めする。この状態で、ピックアップローラ５６により原稿トレイ５７上の原稿用紙を引出して、原稿用紙を原稿搬送経路５８を通じて搬送し、第１走査ユニット４５の光源５１により原稿用紙表面を原稿読取りガラス５５を介して照明し、原稿用紙からの反射光を第１及び第２走査ユニット４５、４６の各反射ミラーにより結像レンズ４７へと導き、ＣＣＤ４８により用紙表面の原稿画像を読取り、原稿用紙を原稿排紙ローラ６１から原稿排紙トレイ６２へと排出する。
【００３７】
また、原稿搬送部４２に内蔵の第２読取り部４３（密着印刷画像センサ（Contact Image Sensor（ＣＩＳ））は、第２読取り部（ＣＩＳ）４３の下を通過して原稿排紙トレイ６２へと排出される原稿用紙裏面を照明し、原稿用紙裏面からの反射光を受光して、用紙裏面の原稿画像を読取る。
【００３８】
このようにＣＣＤ４８及びＣＩＳ４３により読取られた原稿画像は、画像形成装置１の光走査装置１１に入力され、画像形成装置１において原稿画像が記録用紙に記録され、この記録用紙が複写原稿として出力される。
【００３９】
次に、画像形成装置１の制御系の構成について説明する。図２は、画像形成装置１の制御系の構成を示すブロック図である。図２に示すように画像形成装置１は、主制御部７１、原稿読取り装置（スキャナ）２、印刷部（プリンタ）５、給紙部６、ファクシミリ通信部７２、インターネット通信部７３、操作パネル７４、画像処理部７５、記憶装置７６、及びタイマー７７、主制御部７１のワークメモリとして用いられるＲＡＭ７８、プログラム等を記憶したＲＯＭ７９等を備えている。
【００４０】
主制御部７１は、ＣＰＵ、各種のインターフェース等からなり、画像形成装置１を統括して制御する。
【００４１】
ファクシミリ通信部７２は、ネットワーク（公衆電話回線網）ＴＮに対する接続切断制御を行うＮＣＵ８２、ネットワークＴＮを通じてファクシミリ通信相手の端末との間でファクシミリ通信プロトコルを実行するモデム８３、画像データを記憶する画像メモリ８４、及びインターネット通信部７３に対する画像データの出力制御を行うＩ／Ｆ制御部８７等を備えている。
【００４２】
インターネット通信部７３は、インターネットＩＮに接続され、インターネットＩＮ上の端末との間で各種のデータを送受したり、ウェブページにアクセスしたりする。尚、インターネットＩＮは、物理層においてネットワークＴＮと部分的に共通していてもよい。
【００４３】
操作パネル７４は、液晶表示装置等からなる表示部９１及びキーボード９２等を備えている。表示部９１の画面には、画像形成装置１の操作を支援するためのイラスト、メッセージ、表示ボタン等が表示される。また、表示部９１の画面には、透明なタッチパネルが重ねられており、指が画面に表示されている表示ボタン等に接触すると、タッチパネルにより画面上の表示ボタン等の位置が検出される。キーボード９２の操作や表示部９１の画面上の表示ボタン等の操作により、主制御部７１に対して各種の指示を出すことができる。
【００４４】
記憶装置７６は、ＲＡＭ、ハードディスク装置（ＨＤＤ）等であり、種々のデータを記憶する。例えば、記憶装置７６には、原稿読取り装置２のＣＣＤ４８、ＣＩＳ４３により読取られたり、ファクシミリ通信部７２で受信されたりした原稿画像を示す画像データが記憶される。また、記憶装置７６には、電話番号記憶テーブル７６ａ、地域別局番記憶テーブル７６ｂ、及び同報通信テーブル７６ｃが登録されている。
【００４５】
電話番号記憶テーブル７６ａは、ファクシミリ通信相手である１又は複数の端末の電話番号を記憶したものである。キーボード９２の操作や表示部９１の画面上の表示ボタン等の操作によりファクシミリ通信相手の端末の電話番号を入力すると、この電話番号が電話番号記憶テーブル７６ａに記憶され登録される。
【００４６】
地域別局番記憶テーブル７６ｂは、電話番号の市外局番と地域名とを対応付けて記憶したものである。市外局番は、電話番号の１〜４桁目に設定されている。また、市外局番の他に、国際電話のときに用いられる国番号と市外局番を地域名（国名を含む）に対応付けて記憶してもよい。
【００４７】
同報通信記憶テーブル７６ｃは、同報通信の対象となる複数のファクシミリ通信相手の端末の電話番号と、各端末の地域が計画停電地域であるか否かを示す停電地域フラッグＡ（後で説明する）とを対応付けて記憶したものである。
【００４８】
画像処理部７５は、記憶装置７６内の原稿画像を示す画像データに対して種々の画像処理を施したり、画像データに対する圧縮伸張処理を施したりする。
【００４９】
このような構成の画像形成装置１において、原稿の複写処理のときには、操作パネル４のキーボード９２や表示部９１の画面上の表示ボタン等の操作により原稿の複写処理が指示される。これに応答して主制御部７１は、原稿読取り装置２、印刷部５、給紙部６、画像処理部７５等を制御し、原稿読取り装置２により原稿画像を読取らせ、原稿画像を示す画像データを記憶装置７６に一旦記憶し、画像処理部７５により画像データの処理を行わせて、画像データを印刷部５に出力し、給紙部６から印刷部５へと記録用紙を給紙させ、印刷部５により原稿画像を記録用紙に記録させる。
【００５０】
また、ファクシミリ通信により原稿画像を送信するときには、キーボード９２や表示部９１の画面上の表示ボタン等の操作によりファクシミリ通信相手である端末の電話番号と原稿送信が指示される。これに応答して主制御部７１は、ファクシミリ通信相手である端末の電話番号をファクシミリ通信部７２に出力する。ファクシミリ通信相手である端末の電話番号の指示は、各端末の電話番号を記憶装置７６の電話番号記憶テーブル７６ａから読出して、各端末の電話番号の一覧を表示部９１の画面に表示し、画面上の一覧における１つ端末の電話番号の表示箇所を指で選択指示したり、キーボード９２の操作により電話番号を入力したりすることによりなされる。
【００５１】
また、主制御部７１は、原稿読取り装置２、画像処理部７５等を制御し、原稿読取り装置２により原稿画像を読取らせ、原稿画像を示す画像データを記憶装置７６に一旦記憶させ、画像処理部７５により画像データを圧縮処理させてから、画像データをファクシミリ通信部７２の画像メモリ８４に転送する。
【００５２】
ファクシミリ通信部７２では、ファクシミリ通信相手である端末の電話番号をＮＣＵ８２に入力し、ＮＣＵ８２からネットワークＴＮを通じてファクシミリ通信相手の端末に対する発呼を行う。そして、ファクシミリ通信相手の端末が着呼に応答すると、ファクシミリ通信部７２と該端末とがネットワークＴＮを通じて接続される。
【００５３】
モデム８３は、着呼後にファクシミリ通信相手の端末との間でファクシミリ通信プロトコルを実施して、画像メモリ８４内の原稿画像を示す画像データを送信する。
【００５４】
また、ファクシミリ通信により原稿画像を受信するときには、ファクシミリ通信相手の端末からネットワークＴＮを通じての着呼がファクシミリ通信部７２のＮＣＵ８２で受けられて、ＮＣＵ８２により着呼応答がなされ、ファクシミリ通信部７２とファクシミリ通信相手の端末とがネットワークＴＮを通じて接続される。そして、モデム８３は、ファクシミリ通信相手の端末との間でファクシミリ通信プロトコルを実施して、原稿画像を示す画像データを受信して画像メモリ８４に一旦記憶し、この画像データを記憶装置７６に転送する。
【００５５】
記憶装置７６内の画像データは、画像処理部７５により伸張処理されてから印刷部５に出力され、給紙部６から印刷部５へと記録用紙が給紙され、印刷部５により原稿画像が記録用紙に記録される。
【００５６】
ところで、ファクシミリ通信により原稿画像を送信するときには、ファクシミリ通信相手との通信が不可能な状態であっても、その原因が短時間で解消されるならば、周知の発呼の繰り返しにより原稿画像の送信が可能となる。しかしながら、ファクシミリ通信相手の通信相手地域で計画停電が実施されていて、計画停電が長時間続く場合には、ファクシミリ通信相手の端末による通信動作が不可能なため、この端末に対する発呼を行っても、また発呼を繰り返しても、この端末が着呼応答することはなく、一定回数の発呼の後で通信エラーとなる。
【００５７】
そこで、本実施形態では、インターネット通信部７３を通じて、計画停電の対象となっている停電地域名を示す計画停電情報を取得し、またファクシミリ通信相手の端末の電話番号の市外局番に基づき通信相手地域名を判定し、通信相手地域名が停電地域名に一致するか否かを判定し、この判定結果を利用して、ファクシミリ通信相手の端末に対する原稿画像の送信を可能にしている。
【００５８】
次に、ファクシミリ通信相手の端末が１台のときに行われる原稿画像の送信処理を、図３Ａ、図３Ｂに示すフローチャートに従って説明する。尚、図３Ａ、図３Ｂにおいては、処理が繋がる箇所を（イ）、（ロ）で示している。
【００５９】
まず、インターネット通信部７３は、タイマー７７により一定時間が計時される度に、あるいはタイマー７７による計時時刻が予め設定された時刻になる度に、インターネットＩＮを通じてウェブページにアクセスし、ウェブページから計画停電実施の対象となっている停電地域名を示す停電情報を取得し、この停電情報によって示される停電地域名を記憶装置７６に記憶する（ステップＳ１０１）。これにより、計画停電の停電地域名が定期的に取得されて記憶装置７６に記憶される。例えば、各電力会社のウェブページにアクセスして、計画停電の停電地域名を示す停電情報を取得する。あるいは、計画停電の停電地域名を示す停電情報を提供するウェブページを作成しておき、このウェブページから停電情報を取得してもよい。このとき、国内だけではなく、海外の各国別に、計画停電の停電地域名を取得してもよい。
【００６０】
一方、ファクシミリ通信により原稿画像を送信するときには、キーボード９２や表示部９１の画面上の表示ボタン等の操作により原稿送信が指示されて、ファクシミリ通信相手である端末の電話番号が指示される（ステップＳ１０２）。これに応答して主制御部７１は、原稿読取り装置２により原稿画像を読取らせ、原稿画像を示す画像データを記憶装置７６に一旦記憶させ、画像処理部７５により画像データを圧縮処理させてから、画像データをファクシミリ通信部７２の画像メモリ８４に転送する。
【００６１】
また、主制御部７１は、発呼回数Ｂを初期値「１」に設定し、停電地域フラッグＡを初期値「０」に設定する（ステップＳ１０３）。そして、主制御部７１は、入力された電話番号の市外局番を求めて、この市外局番に対応する通信相手地域名を記憶装置７６の地域別局番記憶テーブル７６ｂから検索する（ステップＳ１０４）。電話番号の桁数に基づき国内の電話番号であるか海外の電話番号であるかを特定することができ、それぞれの電話番号の規定の各桁を市外局番（又は国番号と市外局番）として求めることができる。
【００６２】
図４は、地域別局番記憶テーブル７６ｂを例示している。この地域別局番記憶テーブル７６ｂには、電話番号の１桁目乃至４桁の市街局番と通信相手地域名とが対応付けて登録されている。市街局番に対応する通信相手地域名は、１つであっても、また複数であってもよい。例えば、１つの市街局番に対応付けて複数の市名を登録しても、また市名とその市名に属する複数の村名等を対応付けて登録しても構わない。このような地域別局番記憶テーブル７６ｂは、予め設定されたものである。
【００６３】
引き続いて、主制御部７１は、ステップＳ１０１で求められた計画停電の停電地域名を記憶装置７６から読出し、市外局番に対応する通信相手地域名が計画停電の停電地域名に一致するか否かを判定する（ステップＳ１０５）。
【００６４】
ここで、例えば市外局番に対応する通信相手地域名が計画停電の停電地域名に一致しなければ（ステップＳ１０５で「Ｎｏ」）、通信相手地域名の地域が計画停電実施の対象となっていない。この場合、主制御部７１は、ステップＳ１０６に移行することなく、停電地域フラッグＡの初期値「０」を維持したまま、入力された電話番号をＮＣＵ８２に通知する。ＮＣＵ８２は、その電話番号をネットワークＴＮを通じて交換局に発信して、その電話番号に該当するファクシミリ通信相手の端末に対する発呼を行い、ファクシミリ通信相手の端末を呼出す（ステップＳ１０７）。
【００６５】
そして、ファクシミリ通信相手の端末が着呼に応答すると（ステップＳ１０８で「Ｙｅｓ」）、ファクシミリ通信部７２と該端末とがネットワークＴＮを通じて接続される。モデム８３は、ファクシミリ通信相手の端末との間でファクシミリ通信プロトコルを実施して、画像メモリ８４内の原稿画像を示す画像データを送信する（ステップＳ１０９）。そして、主制御部７１は、停電地域フラッグＡの初期値「０」を維持したまま（ステップＳ１１０）、図３の送信処理を終了する。
【００６６】
また、ＮＣＵ８２は、ファクシミリ通信相手の端末が着呼に応答しなければ（ステップＳ１０８で「Ｎｏ」）、ファクシミリ通信相手の端末との接続状態を終了して、発呼を停止する。そして、主制御部７１は、発呼回数Ｂが予め設定された規定回数Ｃを超えているか否かを判定する（ステップＳ１１１）。このとき、発呼回数Ｂが初期値「１」であるから、主制御部７１は、発呼回数Ｂが規定回数Ｃを超えていないと判定し（ステップＳ１１１で「Ｎｏ」）、停電地域フラッグＡが値「１」であるか否かを判定する（ステップＳ１１２）。そして、停電地域フラッグＡが初期値「０」であるから、主制御部７１は、停電地域フラッグＡが値「１」でないと判定し（ステップＳ１１２で「Ｎｏ」）、この判定結果に基づき通常の再発呼待ち時間Ｔ１を選択し、タイマー７７により通常の再発呼待ち時間Ｔ１の計時を開始させ、この通常の再発呼待ち時間Ｔ１の計時を終了すると（ステップＳ１１３）、つまり通常の再発呼待ち時間Ｔ１が経過すると、発呼回数Ｂを初期値「１」から値「２」にカウントアップして（ステップＳ１１４）、ステップＳ１０７に戻る。
【００６７】
引き続いて、ファクシミリ通信相手の端末に対する発呼を再度行い（ステップＳ１０７）、ファクシミリ通信相手の端末が着呼に応答すると（ステップＳ１０８で「Ｙｅｓ」）、画像メモリ８４内の画像データを送信し（ステップＳ１０９）、停電地域フラッグＡの初期値「０」を維持したまま（ステップＳ１１０）、図３の送信処理を終了する。
【００６８】
また、ファクシミリ通信相手の端末が着呼に応答しなければ（ステップＳ１０８で「Ｎｏ」）、発呼を停止して、発呼回数Ｂが規定回数Ｃを超えていないことを確認し（ステップＳ１１１で「Ｎｏ」）、停電地域フラッグＡが値「１」でないことを確認してから（ステップＳ１１２で「Ｎｏ」）、通常の再発呼待ち時間Ｔ１が経過した後に（ステップＳ１１３）、発呼回数Ｂをカウントアップして（ステップＳ１１４）、ステップＳ１０７に再び戻る。
【００６９】
以降同様に、ファクシミリ通信相手の端末が着呼に応答すると（ステップＳ１０８で「Ｙｅｓ」）、画像メモリ８４内の画像データを送信し（ステップＳ１０９）、またファクシミリ通信相手の端末が着呼に応答しなければ（ステップＳ１０８で「Ｎｏ」）、通常の再発呼待ち時間Ｔ１が経過した後に（ステップＳ１１３）、発呼回数Ｂをカウントアップして（ステップＳ１１４）、ファクシミリ通信相手の端末に対する発呼を繰り返す。そして、主制御部７１は、発呼回数Ｂが規定回数Ｃを超えると（ステップＳ１１１で「Ｙｅｓ」）、通信エラーであると判定し（ステップＳ１１５）、停電地域フラッグＡの初期値「０」を維持したまま（ステップＳ１１０）、図３の送信処理を終了する。
【００７０】
次に、市外局番に対応する通信相手地域名が計画停電の停電地域名に一致したならば（ステップＳ１０５で「Ｙｅｓ」）、通信相手地域名の地域が計画停電実施の対象となっており、この地域が停電中になっている可能性がある。この場合、主制御部７１は、停電地域フラッグＡの初期値「０」を値「１」に更新してから（ステップＳ１０６）、入力された電話番号をＮＣＵ８２に通知して、その電話番号に該当するファクシミリ通信相手の端末に対する発呼を行わせる（ステップＳ１０７）。
【００７１】
そして、例えばファクシミリ通信相手の端末が着呼に応答したならば（ステップＳ１０８で「Ｙｅｓ」）、画像メモリ８４内の画像データを送信し（ステップＳ１０９）、停電地域フラッグＡの値「１」を初期値「０」に戻してから（ステップＳ１１０）、図３の送信処理を終了する。
【００７２】
また、ファクシミリ通信相手の端末が着呼に応答しなければ（ステップＳ１０８で「Ｎｏ」）、発呼を停止して、発呼回数Ｂが規定回数Ｃを超えていないことを確認し（ステップＳ１１１で「Ｎｏ」）、停電地域フラッグＡが値「１」であるか否かを判定する（ステップＳ１１２）。
【００７３】
先のステップＳ１０６で停電地域フラッグＡが値「１」に更新されていることから、主制御部７１は、停電地域フラッグＡが値「１」であると判定して（ステップＳ１１２で「Ｙｅｓ」）、この判定結果に基づき停電地域の再発呼待ち時間Ｔ２を選択し、タイマー７７により停電地域の再発呼待ち時間Ｔ２の計時を開始させて、この停電地域の再発呼待ち時間Ｔ２の計時を終了すると（ステップＳ１１６）、つまり停電地域の再発呼待ち時間Ｔ２が経過すると、発呼回数Ｂを初期値「１」から値「２」にカウントアップして（ステップＳ１１４）、ステップＳ１０７に戻る。
【００７４】
すなわち、市外局番に対応する通信相手地域名の地域が計画停電実施の対象となっており（ステップＳ１０５で「Ｙｅｓ」）、ファクシミリ通信相手の端末が着呼に応答しない（ステップＳ１０８で「Ｎｏ」）場合は、通信相手地域が停電状態であるとみなされて、停電地域の再発呼待ち時間Ｔ２が設定される（ステップＳ１１６）。
【００７５】
そして、ファクシミリ通信相手の端末に対する発呼を再度行い（ステップＳ１０７）、ファクシミリ通信相手の端末が着呼に応答すると（ステップＳ１０８で「Ｙｅｓ」）、画像メモリ８４内の画像データを送信し（ステップＳ１０９）、停電地域フラッグＡの値「１」を初期値「０」に戻してから（ステップＳ１１０）、図３の送信処理を終了する。
【００７６】
また、ファクシミリ通信相手の端末が着呼に応答しなければ（ステップＳ１０８で「Ｎｏ」）、発呼を停止して、発呼回数Ｂが規定回数Ｃを超えていないことを確認し（ステップＳ１１１で「Ｎｏ」）、停電地域フラッグＡが値「１」であることを確認してから（ステップＳ１１２で「Ｙｅｓ」）、停電地域の再発呼待ち時間Ｔ２が経過した後に（ステップＳ１１６）、発呼回数Ｂをカウントアップして（ステップＳ１１４）、ステップＳ１０７に再び戻る。
【００７７】
以降同様に、ファクシミリ通信相手の端末が着呼に応答すると（ステップＳ１０８で「Ｙｅｓ」）、画像メモリ８４内の画像データを送信し（ステップＳ１０９）、またファクシミリ通信相手の端末が着呼に応答しなければ、停電地域の再発呼待ち時間Ｔ２が経過した後に（ステップＳ１１６）、発呼回数Ｂをカウントアップして（ステップＳ１１４）、ファクシミリ通信相手の端末に対する発呼を繰り返す。そして、発呼回数Ｂが規定回数Ｃを超えると（ステップＳ１１１で「Ｙｅｓ」）、通信エラーとなって（ステップＳ１１５）、停電地域フラッグＡを初期値「０」に戻してから（ステップＳ１１０）、図３の送信処理を終了する。
【００７８】
このように市外局番に対応する通信相手地域名の地域が計画停電実施の対象となっておらず（ステップＳ１０５で「Ｎｏ」）、ファクシミリ通信相手の端末が着呼に応答しない（ステップＳ１０８で「Ｎｏ」）場合は、通常の再発呼待ち時間Ｔ１が設定され（ステップＳ１１３）、通常の再発呼待ち時間Ｔ１毎に、発呼が繰り返される。
【００７９】
また、市外局番に対応する通信相手地域名の地域が計画停電実施の対象となっており（ステップＳ１０５で「Ｙｅｓ」）、ファクシミリ通信相手の端末が着呼に応答しない（ステップＳ１０８で「Ｎｏ」）場合は、通信相手地域が停電状態であるとみなされて、停電地域の再発呼待ち時間Ｔ２が設定され（ステップＳ１１６）、停電地域の再発呼待ち時間Ｔ２毎に、発呼が繰り返される。
【００８０】
ここで、通常の再発呼待ち時間Ｔ１は、例えば数分〜数時間程度に設定される。また、停電地域の再発呼待ち時間Ｔ２は、通常の再発呼待ち時間Ｔ１よりも充分に長く設定され、例えば２４時間以上に設定される。
【００８１】
このため、ファクシミリ通信相手の端末の地域が停電状態にあれば、ファクシミリ通信相手の端末に対する発呼が２４時間（１日）毎に繰り返されて、この発呼が数日間にわたって数回繰り返されることになり、その数日の間に停電が復旧し、ファクシミリ通信相手の端末が着呼応答して、ファクシミリ通信が正常に終了する可能性が高くなる。
【００８２】
これに対してファクシミリ通信相手の端末の地域が停電状態にあるにもかかわらず、ファクシミリ通信相手の端末に対する発呼が数分〜数時間毎に繰り返されたならば、ファクシミリ通信相手の端末が着呼応答することができず、通信エラーとなる可能性が高くなる。
【００８３】
次に、ファクシミリ通信相手の端末が複数台のときに行われる同報通信の送信処理を、図５のフローチャートに従って説明する。尚、図５において、図３Ａ、図３Ｂと同様の処理には同じ符号を付す。
【００８４】
まず、インターネット通信部７３は、定期的に、インターネットＩＮを通じてウェブページにアクセスし、ウェブページから計画停電実施の対象となっている停電地域名を取得し、この計画停電の停電地域名を記憶装置７６に記憶する（ステップＳ１０１）。
【００８５】
一方、同報通信を行うときには、キーボード９２や表示部９１の画面上の表示ボタン等の操作により原稿の同報通信が指示されて、同報通信の対象となる複数のファクシミリ通信相手の端末の電話番号が順次入力される（ステップＳ２０１）。これに応答して主制御部７１は、原稿読取り装置２により原稿画像を読取らせ、原稿画像を示す画像データを記憶装置７６に一旦記憶させ、画像処理部７５により画像データを圧縮処理させてから、画像データをファクシミリ通信部７２の画像メモリ８４に転送する。
【００８６】
また、主制御部７１は、同報通信を指示されると記憶装置７６の同報通信記憶テーブル７６ｃを一旦初期化し、各ファクシミリ通信相手の端末の電話番号を入力する度に、入力された電話番号を同報通信記憶テーブル７６ｃに順次記録する。
【００８７】
このとき、主制御部７１は、入力された電話番号の市外局番を求めて、この市外局番に対応する通信相手地域名を記憶装置７６の地域別局番記憶テーブル７６ｂから検索し（ステップＳ１０４）、ステップＳ１０１で求められた計画停電の停電地域名を記憶装置７６から読出し、市外局番に対応する通信相手地域名が計画停電の停電地域名に一致するか否かを判定する（ステップＳ１０５）。
【００８８】
そして、主制御部７１は、市外局番に対応する通信相手地域名が計画停電の停電地域名に一致しないと判定すると（ステップＳ１０５で「Ｎｏ」）、入力された電話番号をその入力順で同報通信記憶テーブル７６ｃに書き込み、入力された電話番号に対応する停電地域フラッグＡを初期値「０」に維持する（ステップＳ２０２）。
【００８９】
また、主制御部７１は、市外局番に対応する通信相手地域名が計画停電の停電地域名に一致すると判定すると（ステップＳ１０５で「Ｙｅｓ」）、入力された電話番号を同報通信記憶テーブル７６ｃに既に書き込まれている電話番号の最後尾に追加して書き込んで、入力された電話番号の順番を最後の順番に設定し、入力された電話番号に対応する停電地域フラッグＡを値「１」に書き換える（ステップＳ２０３）。
【００９０】
更に、主制御部７１は、停電地域フラッグＡの初期値「０」に対応する電話番号の順番が停電地域フラッグＡの値「１」に対応する電話番号の順番よりも常に上位となるように各電話番号の順番を調節する。
【００９１】
図６は、同報通信記憶テーブル７６ｃを例示している。この同報通信記憶テーブル７６ｃには、同報通信の対象となる各ファクシミリ通信相手の端末の電話番号が記録され、各電話番号に対応付けて停電地域フラッグＡの初期値「０」又は値「１」が記録されている。停電地域フラッグＡの初期値「０」に対応する電話番号の端末は、計画停電実施の停電地域に入っておらず、また停電地域フラッグＡの値「１」に対応する電話番号の端末は、計画停電実施の停電地域に入っている。また、停電地域フラッグＡの初期値「０」に対応する電話番号の順番は、停電地域フラッグＡの値「１」に対応する電話番号の順番よりも上位になっている。
【００９２】
こうして計画停電実施の停電地域に入っていない端末の電話番号の順番を計画停電実施の停電地域に入っている端末の電話番号の順番よりも上位に設定して、同報通信の対象となる各ファクシミリ通信相手の端末の電話番号を同報通信記憶テーブル７６ｃに書き込む。
【００９３】
この後、主制御部７１は、同報通信記憶テーブル７６ｃの各電話番号を先頭（より上位の順番）から読み出して、読み出した電話番号をＮＣＵ８２に通知し、その電話番号に該当するファクシミリ通信相手の端末に対する発呼を行わせる（ステップＳ１０７）。そして、ファクシミリ通信相手の端末が着呼に応答すると（ステップＳ１０８で「Ｙｅｓ」）、モデム８３により画像メモリ８４内の画像データを送信させ（ステップＳ１０９）、その端末の電話番号を同報通信記憶テーブル７６ｃから削除する。
【００９４】
引き続いて、主制御部７１は、同報通信記憶テーブル７６ｃ内に次の順番の電話番号があるか否かを確認し（ステップＳ２０４）、次の電話番号があれば（ステップＳ２０４で「Ｙｅｓ」）、ステップＳ１０７に戻って、同報通信記憶テーブル７６ｃから次の順番の電話番号を読出して、次の順番の電話番号をＮＣＵ８２に通知し、次の順番の電話番号に該当するファクシミリ通信相手の端末に対する発呼を行わせる。
【００９５】
また、主制御部７１は、ファクシミリ通信相手の端末が着呼に応答しなければ（ステップＳ１０８で「Ｎｏ」）、発呼を停止して、その端末の電話番号を同報通信記憶テーブル７６ｃから削除せずに残したまま、同報通信記憶テーブル７６ｃ内に次の順番の電話番号があるか否かを確認し（ステップＳ２０４）、次の順番の電話番号があれば（ステップＳ２０４で「Ｙｅｓ」）、ステップＳ１０７に戻って、同報通信記憶テーブル７６ｃから次の順番の電話番号を読出して、次の順番の電話番号をＮＣＵ８２に通知し、次の順番の電話番号に該当するファクシミリ通信相手の端末に対する発呼を行わせる。
【００９６】
従って、同報通信記憶テーブル７６ｃの各電話番号が先頭（より上位の順番）から読み出され、その度に、電話番号に該当するファクシミリ通信相手の端末に対する発呼が行われて、その端末が着呼に応答すると、画像データが送信されて、その端末の電話番号が同報通信記憶テーブル７６ｃから削除され、またその端末が着呼に応答しなければ、画像データが送信されず、その端末の電話番号が同報通信記憶テーブル７６ｃに残される。
【００９７】
そして、同報通信記憶テーブル７６ｃの最後の順番の電話番号の端末に対する発呼が行われると、同報通信記憶テーブル７６ｃに削除されずに残された電話番号があるか否かが確認され（ステップＳ２０５）、残された電話番号があるならば（ステップＳ２０５で「Ｙｅｓ」）、残された電話番号が先頭から順次読み出されて、再発呼が行われ（ステップＳ１０７）、着呼応答があると（ステップＳ１０８で「Ｙｅｓ」）、画像データが送信されて（ステップＳ１０９）、その電話番号が同報通信記憶テーブル７６ｃから削除され、また着呼応答がなければ（ステップＳ１０８で「Ｎｏ」）、画像データが送信されず、その電話番号が同報通信記憶テーブル７６ｃに残される。以降同様に再発呼が繰り返されて、残された電話番号がなくなると（ステップＳ２０５で「Ｎｏ」）、図５の処理が終了する。また、残された全ての電話番号の再発呼が所定回数繰り返されても、図５の処理が終了する。
【００９８】
このように同報通信では、計画停電実施の停電地域に入っていない端末の電話番号の順番を計画停電実施の停電地域に入っている端末の電話番号の順番よりも上位に設定して、この順番で電話番号の端末を呼出しているので、停電中でなくて、着呼応答がなされる可能性が高い端末への発呼を優先させ、かつ停電中の可能性が高く、着呼応答がなされる可能性が低い端末への発呼を後回しにして、各端末への発呼を順次行うことができ、同報通信を効率的に行うことができる。
【００９９】
次に、ファクシミリ通信相手の端末が１台のときに行われる原稿画像の送信処理の他の例を、図７Ａ、図７Ｂに示すフローチャートに従って説明する。尚、図７Ａ、図７Ｂにおいて、図３Ａ、図３Ｂと同様の処理には同じ符号を付し、また処理が繋がる箇所を（ハ）、（ニ）で示している。
【０１００】
図７Ａ、図７Ｂの処理では、図３Ａ、図３Ｂの処理のように停電地域の再発呼待ち時間Ｔ２を設定せずに、この代わりに画像データを電子メールに添付してファクシミリ通信相手に送信している。
【０１０１】
さて、インターネット通信部７３は、定期的に、インターネットＩＮを通じてウェブページにアクセスし、ウェブページから計画停電実施の対象となっている停電地域名を取得し、この計画停電の停電地域名を記憶装置７６に記憶する（ステップＳ１０１）。
【０１０２】
一方、ファクシミリ通信により原稿画像を送信するときには、キーボード９２や表示部９１の画面上の表示ボタン等の操作により原稿送信が指示されて、ファクシミリ通信相手である端末の電話番号及びメールアドレスが指示される（ステップＳ３０１）。これに応答して原稿読取り装置２により原稿画像が読取られ、画像処理部７５により原稿を示す画像データが圧縮処理されて、画像データがファクシミリ通信部７２の画像メモリ８４に転送される。
【０１０３】
また、主制御部７１は、発呼回数Ｂを初期値「１」に設定し、停電地域フラッグＡを初期値「０」に設定する（ステップＳ１０３）。
【０１０４】
更に、主制御部７１は、入力された電話番号とメールアドレスとを対応付けて記憶装置７６に記憶する（ステップＳ３０２）。また、主制御部７１は、入力された電話番号の市外局番を求めて、この市外局番に対応する通信相手地域名を記憶装置７６の地域別局番記憶テーブル７６ｂから検索する（ステップＳ１０４）。
【０１０５】
引き続いて、主制御部７１は、ステップＳ１０１で求められた計画停電の停電地域名を記憶装置７６から読出し、市外局番に対応する通信相手地域名が計画停電の停電地域名に一致するか否かを判定する（ステップＳ１０５）。
【０１０６】
例えば、市外局番に対応する通信相手地域名が計画停電の停電地域名に一致しなければ（ステップＳ１０５で「Ｎｏ」）、通信相手地域名の地域が計画停電実施の対象となっていない。この場合は、ステップＳ１０６に移行することなく、停電地域フラッグＡの初期値「０」を維持したまま、入力された電話番号をファクシミリ通信部７２のＮＣＵ８２に通知して、その電話番号に該当するファクシミリ通信相手の端末に対する発呼を行わせる（ステップＳ１０７）。
【０１０７】
そして、ファクシミリ通信相手の端末が着呼に応答すると（ステップＳ１０８で「Ｙｅｓ」）、モデム８３により画像メモリ８４内の画像データを送信させ（ステップＳ１０９）。そして、停電地域フラッグＡの初期値「０」を維持したまま（ステップＳ１１０）、図７の送信処理を終了する。
【０１０８】
また、ファクシミリ通信相手の端末が着呼に応答しなければ（ステップＳ１０８で「Ｎｏ」）、発呼を停止する。そして、主制御部７１は、発呼回数Ｂ（＝初期値「１」）が規定回数Ｃを超えていないと判定し（ステップＳ１１１で「Ｎｏ」）、また停電地域フラッグＡ（＝初期値「０」）が値「１」でないと判定して（ステップＳ１１２で「Ｎｏ」）、通常の再発呼待ち時間Ｔ１を選択し、通常の再発呼待ち時間Ｔ１が経過すると（ステップＳ１１３）、発呼回数Ｂを初期値「１」から値「２」にカウントアップして（ステップＳ１１４）、ステップＳ１０７に戻る。
【０１０９】
引き続いて、ファクシミリ通信相手の端末に対する発呼を再度行い（ステップＳ１０７）、ファクシミリ通信相手の端末が着呼に応答すると（ステップＳ１０８で「Ｙｅｓ」）、画像メモリ８４内の画像データを送信し（ステップＳ１０９）、停電地域フラッグＡの初期値「０」を維持したまま（ステップＳ１１０）、図７の送信処理を終了する。
【０１１０】
また、ファクシミリ通信相手の端末が着呼に応答しなければ（ステップＳ１０８で「Ｎｏ」）、発呼を停止して、発呼回数Ｂが規定回数Ｃを超えていないことを確認し（ステップＳ１１１で「Ｎｏ」）、停電地域フラッグＡが値「１」でないことを確認してから（ステップＳ１１２で「Ｎｏ」）、通常の再発呼待ち時間Ｔ１が経過した後に（ステップＳ１１３）、発呼回数Ｂをカウントアップして（ステップＳ１１４）、ステップＳ１０７に再び戻る。
【０１１１】
以降同様に、ファクシミリ通信相手の端末が着呼に応答すると（ステップＳ１０８で「Ｙｅｓ」）、画像メモリ８４内の画像データを送信し（ステップＳ１０９）、またファクシミリ通信相手の端末が着呼に応答しなければ（ステップＳ１０８で「Ｎｏ」）、発呼回数Ｂをカウントアップして（ステップＳ１１４）、ファクシミリ通信相手の端末に対する発呼を繰り返す。そして、主制御部７１は、発呼回数Ｂが規定回数Ｃを超えると（ステップＳ１１１で「Ｙｅｓ」）、通信エラーであると判定し（ステップＳ１１５）、停電地域フラッグＡの初期値「０」を維持したまま（ステップＳ１１０）、図３の送信処理を終了する。
【０１１２】
次に、市外局番に対応する通信相手地域名が計画停電の停電地域名に一致したならば（ステップＳ１０５で「Ｙｅｓ」）、通信相手地域名の地域が計画停電実施の対象となっており、この地域が停電中になっている可能性がある。この場合、主制御部７１は、停電地域フラッグＡの初期値「０」を値「１」に更新してから（ステップＳ１０６）、入力された電話番号をＮＣＵ８２に通知して、その電話番号に該当するファクシミリ通信相手の端末に対する発呼を行わせる（ステップＳ１０７）。
【０１１３】
そして、例えばファクシミリ通信相手の端末が着呼に応答したならば（ステップＳ１０８で「Ｙｅｓ」）、画像メモリ８４内の画像データを送信し（ステップＳ１０９）、停電地域フラッグＡの値「１」を初期値「０」に戻してから（ステップＳ１１０）、図７の送信処理を終了する。
【０１１４】
また、ファクシミリ通信相手の端末が着呼に応答しなければ（ステップＳ１０８で「Ｎｏ」）、発呼を停止して、発呼回数Ｂが規定回数Ｃを超えていないことを確認し（ステップＳ１１１で「Ｎｏ」）、停電地域フラッグＡが値「１」であるか否かを判定する（ステップＳ１１２）。
【０１１５】
そして、先のステップＳ１０６で停電地域フラッグＡが値「１」に更新されていることから、主制御部７１は、停電地域フラッグＡが値「１」であると判定して（ステップＳ１１２で「Ｙｅｓ」）、ステップＳ３０２において記憶装置７６に記憶された電話番号に対応するファクシミリ通信相手のメールアドレスを取得し、このメールアドレスを宛先とする電子メールを作成し、この電子メールをインターネット通信部７３に出力する。インターネット通信部７３は、画像メモリ８４内の画像データをＩ／Ｆ制御部８７を通じて取得し、この画像データを電子メールに添付して、この電子メールをインターネットＩＮに送信する（ステップＳ３０３）。
【０１１６】
すなわち、市外局番に対応する通信相手地域名の地域が計画停電実施の対象となっており（ステップＳ１０５で「Ｙｅｓ」）、ファクシミリ通信相手の端末が着呼に応答しない（ステ
ップＳ１０８で「Ｎｏ」）場合は、通信相手地域が停電状態であるとみなされて、ファクシミリ通信相手のメールアドレスを宛先とする電子メールが作成されてインターネットＩＮに送信される。
【０１１７】
この後、停電地域フラッグＡの値「１」を初期値「０」に戻してから（ステップＳ１１０）、図７の送信処理を終了する。
【０１１８】
このように市外局番に対応する通信相手地域名の地域が計画停電実施の対象となっておらず（ステップＳ１０５で「Ｎｏ」）、ファクシミリ通信相手の端末が着呼に応答しない（ステップＳ１０８で「Ｎｏ」）場合は、通常の再発呼待ち時間Ｔ１が設定され（ステップＳ１１３）、通常の再発呼待ち時間Ｔ１毎に、発呼が繰り返される。
【０１１９】
また、市外局番に対応する通信相手地域名の地域が計画停電実施の対象となっており（ステップＳ１０５で「Ｙｅｓ」）、ファクシミリ通信相手の端末が着呼に応答しない（ステップＳ１０８で「Ｎｏ」）場合は、通信相手地域が停電状態であるとみなされて、ファクシミリ通信相手のメールアドレスを宛先とする電子メールが作成され、この電子メールに画像メモリ８４内の画像データが添付されて、この電子メールがインターネットＩＮに送信される。
【０１２０】
この電子メールは、インターネットＩＮ上の動作状態のメールサーバ等で保管（バックアップ）される。このため、ファクシミリ通信相手の端末の地域が停電状態から復帰したときに、ファクシミリ通信相手は、メールサーバ等からインターネットＩＮを通じてパーソナルコンピュータ等へと電子メールを取り込んで、電子メールに添付の画像データを取得することができる。
【０１２１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【０１２２】
１  画像形成装置
３  原稿読取り装置
４  操作パネル
５  印刷部
６  給紙部
１１  光走査装置
１２  現像装置
１３  感光体ドラム
１４  ドラムクリーニング装置
１５  帯電器
１７  定着装置
２１  中間転写ベルト
２６  ２次転写装置
７１  主制御部（停電情報取得部、判定部）
７２  ファクシミリ通信部
７３  インターネット通信部
７４  操作パネル
７５  画像処理部
７６  記憶装置（通信相手記憶部）
７７  タイマー
７８  ＲＡＭ
７９  ＲＯＭ
【図１】
2013115805.tif 000003
【図２】
2013115805.tif 000004
【図３Ａ】
2013115805.tif 000005
【図３Ｂ】
2013115805.tif 000006
【図４】
2013115805.tif 000007
【図５】
2013115805.tif 000008
【図６】
2013115805.tif 000009
【図７Ａ】
2013115805.tif 000010
【図７Ｂ】
2013115805.tif 000011